(57)【特許請求の範囲】
【請求項１】
室内の天井に配設される下面開放箱状の本体ケースと、本体ケースの下面のケース開口部を下方から被閉するカバーとを備えた天井設置型機器であって、
本体ケース側に、カバー落下防止用の連結紐が係合保持され、
カバー側に、両側縁に切欠部を有する片持ち梁状の掛止片と、掛止片をカバーの下面側に臨ませる掛止用窓孔とが設けられ、前記掛止片の切欠部に連結紐が着脱可能な状態で掛止された、天井設置型機器。
【請求項２】
請求項１に記載の天井設置型機器において、
掛止片の先端部に、下向きに突出する爪片が設けられた、天井設置型機器。
【請求項３】
請求項２に記載の天井設置型機器において、
爪片の基端部に、掛止片の基端部側から爪片の先端部側に向かって傾斜面が設けられた、天井設置型機器。
【請求項４】
請求項１から３のいずれかに記載の天井設置型機器において、
掛止片は、先端面が掛止片の先端部側へ突出する凸面状に形成された、天井設置型機器。
【請求項５】
請求項１から４のいずれかに記載の天井設置型機器において、
掛止用窓孔の内周縁部に、連結紐が掛止用窓孔から下方へ脱出するのを阻止する押さえ片が設けられた、天井設置型機器。
【請求項６】
請求項１から５のいずれかに記載の天井設置型機器において、
掛止片は、カバーの重心より側方に基端部を有し、前記重心側に向かって延設された、天井設置型機器。
【請求項７】
請求項１から６のいずれかに記載の天井設置型機器において、掛止片は、連結紐の本体ケース側との連結部の垂直下方位置、或いは、前記垂直下方位置よりも掛止片の先端部側の位置に設けられた、天井設置型機器。
【請求項８】
請求項１から７のいずれかに記載の天井設置型機器において、
カバーに、室内の空気を本体ケース内に導入するための吸込口と、吸込口のカバー上面側にフィルタを挿入するためのフィルタ挿入口とが設けられ、
掛止用窓孔は、フィルタ挿入口の上方に設けられ、吸込口のカバー上面側に挿入されたフィルタにより下方から覆われる、天井設置型機器。
【発明の詳細な説明】
【技術分野】
【０００１】
本発明は、室内の天井に設置して使用される暖房乾燥機や換気装置などの機器に関する。
【背景技術】
【０００２】
室内の天井壁や天井裏の空間に設置される下面開放箱状の本体ケースと、本体ケースの下面のケース開口部を下方から被閉するカバーとで外郭が構成された所謂天井設置型の暖房機や換気装置などの機器では、カバーを本体ケースから取り外した際に、カバーが不用意に落下する虞がある。従って、従来、この種の天井設置型機器では、カバーと本体ケースとを連結紐で連結することにより、カバーの落下防止を図ったものが提案されている（例えば、特許文献１参照）。
【先行技術文献】
【特許文献】
【０００３】
【特許文献１】特開２００１−２６３７１４号公報
【発明の概要】
【発明が解決しようとする課題】
【０００４】
しかしながら、上記従来の天井設置型機器では、カバーの内側（上面側）に連結紐が接続されているため、カバーを本体ケースから取り外す、或いは、本体ケースに取り付ける際に、カバーの上面と本体ケースの下面との隙間から連結紐の着脱作業を行わなければならず、施工時やメンテナンス時の作業性が悪かった。また、連結紐の着脱作業を行う際に、作業者が意図せず本体ケース内部の構成部品に触れてしまう虞もあった。
【０００５】
本発明は、上記課題を鑑みてなされたものであり、その目的は、室内の天井に設置して使用される暖房乾燥機や換気装置などの天井設置型機器において、施工時やメンテナンス時の作業性および安全性の向上を図ることにある。
【課題を解決するための手段】
【０００６】
本発明は、室内の天井に配設される下面開放箱状の本体ケースと、本体ケースの下面のケース開口部を下方から被閉するカバーとを備えた天井設置型機器であって、本体ケース側に、カバー落下防止用の連結紐が係合保持され、カバー側に、両側縁に切欠部を有する片持ち梁状の掛止片と、掛止片をカバーの下面側に臨ませる掛止用窓孔とが設けられ、前記掛止片の切欠部に連結紐が着脱可能な状態で掛止されたものである。
【０００７】
このものでは、掛止片に対する連結紐の着脱を、カバーの下面側から掛止用窓孔を通じて行うことができるから、カバーの取り付けや取り外し作業に手間がかからないし、作業中に作業者が意図せず本体ケース内部の構成部品に触れてしまう虞も少ない。
【０００８】
上記天井設置型機器において、掛止片の先端部に、下向きに突出する爪片が設けられたものとすれば、連結紐を掛止片に掛止させる際、連結紐が掛止片から不用意に外れ難いから、カバーの取り付け作業に一層手間がかからない。また、連結紐を掛止片に掛止させるにあたって、先に爪片に連結紐を仮止め保持させ、カバーを連結紐に吊り下げ支持させた状態にしてから、改めて連結紐を掛止片の切欠部に掛止させることができるから、カバーの取り付け作業時の作業者への負担も少ない。
【０００９】
上記天井設置型機器において、爪片の基端部に、掛止片の基端部側から爪片の先端部側に向かって傾斜面が設けられたものとすれば、連結紐を上記傾斜面に沿って爪片の先端部側へ円滑に移動させ、取り外すことができるから、カバーの取り外し作業に一層手間がかからない。
【００１０】
上記天井設置型機器において、掛止片は、先端面が掛止片の先端部側へ突出する凸面状に形成されたものとすれば、連結紐を上記先端面に沿って掛止片の基端部側へ円滑に係合させることができるから、カバーの取り付け作業に一層手間がかからない。
【００１１】
上記天井設置型機器において、掛止用窓孔の内周縁部に、連結紐が掛止用窓孔から下方へ脱出するのを阻止する押さえ片が設けられたものとすれば、たとえ連結紐が掛止片から下方に離反しても、押さえ片に当接するから、連結紐が掛止片から不用意に外れ難い。よって、カバーの取り付け作業に一層手間がかからない。また、連結紐の掛止用窓孔からの脱出が阻止されるから、連結紐が他の作業の妨げにもなり難い。
【００１２】
上記天井設置型機器において、掛止片は、カバーの重心より側方に基端部を有し、前記重心側に向かって延設されたものとすれば、カバーを連結紐に吊り下げた状態にしたとき、カバーは、その重心側である掛止片の先端部側を下にして傾くから、連結紐が掛止片の先端部側に移動し難い。即ち、連結紐が掛止片から不用意に外れ難い。よって、カバーの取り付けや取り外し作業に一層手間がかからない。
【００１３】
上記天井設置型機器において、掛止片は、連結紐の本体ケース側との連結部の垂直下方位置、或いは、前記垂直下方位置よりも掛止片の先端部側の位置に設けられたものとすれば、カバーを連結紐に吊り下げた状態からさらに上方へ持ち上げたときに、連結紐が掛止片の先端部側に移動し難く、掛止片から不用意に外れ難い。よって、カバーの取り付けや取り外し作業に一層手間がかからない。
【００１４】
上記天井設置型機器において、カバーに、室内の空気を本体ケース内に導入するための吸込口と、吸込口のカバー上面側にフィルタを挿入するためのフィルタ挿入口とが設けられ、掛止用窓孔は、フィルタ挿入口の上方に設けられ、吸込口のカバー上面側に挿入されたフィルタにより下方から覆われるものとすれば、フィルタがカバーに装着された状態において、掛止用窓孔や連結紐がカバーの下方に露出しないから、機器全体の美観を損なうこともない。
【発明の効果】
【００１５】
以上のように、本発明によれば、カバーの取り付けや取り外し作業に手間がかからないし、作業中に作業者が意図せず本体ケース内部の構成部品に触れてしまう虞も少ないから、施工時やメンテナンス時の作業性および安全性の高い天井設置型機器を提供できる。
【図面の簡単な説明】
【００１６】
【図１】図１は、本発明の実施の形態に係る天井設置型機器の概略構成図である。
【図２】図２は、本発明の実施の形態に係る天井設置型機器の側面視縦断面図である。
【図３】図３は、本発明の実施の形態に係る天井設置型機器の掛止片周辺の側面視縦断面図である。
【図４】図４は、本発明の実施の形態に係る天井設置型機器の掛止片周辺の下方斜視図である。
【図５】図５は、本発明の他の実施形態に係る天井設置型機器の掛止片周辺の下方斜視図である。
【図６】図６は、本発明の他の実施形態に係る天井設置型機器の掛止片周辺の下方斜視図である。
【図７】図７は、本発明の他の実施形態に係る天井設置型機器の掛止片周辺の側面視縦断面図である。
【発明を実施するための形態】
【００１７】
次に、上記した本発明を実施するための形態について、添付図面を参照しながら詳述する。
【００１８】
図１および図２に示すように、本発明の実施の形態に係る天井設置型機器は、浴室４の天井壁４１に埋設して使用される所謂天井設置型の浴室暖房乾燥機１であって、浴室４の天井裏４０に吊り下げ状態で設置される下面開放箱状の本体ケース１１と、本体ケース１１下面のケース開口部１１０を天井壁４１に開設された取付口４１０の下方、即ち、浴室４側から被閉するカバー１２とで外郭が構成されている。
【００１９】
本体ケース１１の内部空間（ケース内部）１０には、浴室４内の空気をケース内部１０に導入し、送風路１３を通じて浴室４内へ送出する、或いは、排気筒１４を通じて室外へ排出する給気手段としてのファン１５と、ファン１５によって送風路１３へ送り込まれた空気を加熱する加熱手段としての熱交換器１６とが組み込まれている。
【００２０】
本体ケース１１の周壁１１１は、前壁１１Ａ、後壁１１Ｂ、左側壁１１Ｃ、および、右側壁１１Ｄで構成されており、前壁１１Ａの外側面に排気筒１４が設けられている。尚、本明細書では、前壁１１Ａの外側面を浴室暖房乾燥機１の正面とし、本体ケース１１を正面側から見たときの奥行き方向を前後方向、幅方向を左右方向、高さ方向を上下方向という。
【００２１】
本体ケース１１の下面（ケース下面）１１Ｅの外周、即ち、ケース開口部１１０の外周縁には、全周に亘ってフランジ１１２が形成されており、本体ケース１１は、ケース開口部１１０を取付口４１０に上方から臨ませ、且つ、フランジ１１２の下面を取付口４１０の外周上面に当接させた状態で、図示しない複数の吊り下げボルトおよびナットによって天井裏４０に固定される。
【００２２】
カバー１２の外周枠１２１は、全周に亘って上向きに起立形成されており、カバー１２は、本体ケース１１側の所定位置に係合保持されたカバー落下防止用の連結紐３に連結した後、外周枠１２１の上端面を取付口４１０の外周下面に当接させた状態で、複数のカバー固定ねじ１７によって本体ケース１１にねじ留め固定される。このように、浴室暖房乾燥機１は、本体ケース１１下面のフランジ１１２とカバー１２の外周枠１２１とで天井壁４１の取付口４１０周縁を上下から挟み付けるようにして設置される。尚、本発明は、本体ケース１１を取付口４１０に浴室４側から挿入して、フランジ１１２の上面を取付口４１０の外周上面に当接させた状態とし、この状態で天井裏４０に吊り下げ状態で固定した後、カバー１２をケース下面１１Ｅに下方からねじ留め固定するように構成された所謂本体後付け施工可能な浴室暖房乾燥機にも適用できる。
【００２３】
連結紐３は、高い伸縮性を有する円環状の紐体であり、カバー１２が外され、本体ケース１１側に吊り下げられた状態において、ケース開口部１１０より下方に露出する長さに設定されている。
【００２４】
カバー１２には、浴室４内の空気をケース内部１０に導入するための吸込口２１と、ケース内部１０に導入された空気を送出するための吹出口２２と、吸込口２１のカバー上面１２Ｅ側にフィルタ２０を挿入するためのフィルタ挿入口２３とが設けられている。
【００２５】
送風路１３における熱交換器１６の配設部より上流側の位置には、ファン１５によってケース内部１０に導入された空気の送出経路を、吹出口２２側（循環側）と排気筒１４側（排気側）とに切替可能な風路切替ダンパ１８が設けられている。
【００２６】
吸込口２１は、左右方向に長い複数の長孔で構成されており、カバー１２の後方側の半面領域に開設されている。一方、吹出口２２は、左右方向に長い略長方形状の一つの長孔であり、カバー１２の前方側の半面領域に開設されている。
【００２７】
フィルタ挿入口２３は、左右方向に長い略長方形状の一つの長孔であり、カバー１２の略中央位置、即ち、吸込口２１と吹出口２２との間に開設されている。フィルタ２０は、吸込口２１の形成域全体を覆う略矩形平板状に形成されており、吸込口２１のカバー上面１２Ｅ側の所定位置に着脱自在に装着される。
【００２８】
ファン１５は、シロッコファンであって、本体ケース１１の左右の側壁１１Ｃ，１１Ｄ相互間に軸支され、ファンケース１５１の外周面に設けられた空気送出口１５０を前方へ向けた姿勢でケース内部１０の後壁１１Ｂ寄りの位置に組み込まれている。
【００２９】
熱交換器１６は、左右方向へ縦並びに配設される複数の吸熱フィン１６１と、吸熱フィン１６１に左右方向から貫設される複数の吸熱管１６２とで構成され、図示しない熱源機から供給される熱媒の熱により送風路１３内の空気を加熱する熱媒循環式の熱交換器であって、送風路１３内の略中央位置に組み込まれている（図２参照）。
【００３０】
送風路１３は、ファンケース１５１の空気送出口１５０から斜め前方下向きに延設され、その下端開口部１３０は、カバー１２の吹出口２２に上方から臨んでいる。送風路１３の下端開口部１３０寄りの位置には、運転時に空気の吹出方向を変更し、停止時に下端開口部１３０を被閉するルーバ１９が軸支されている。
【００３１】
送風路１３の後壁１３Ｂの中間部には、ケース開口部１１０に対峙する略水平の段差面１３１が形成されている。段差面１３１の左右間の略中央位置には、連結紐３を係合保持するリング状のクランプ２４が固定されており、連結紐３は、クランプ２４のリング部２４０に抜け止め状態で連結されている。一方、カバー上面１２Ｅにおける上記リング部２４０の垂直下方位置、即ち、カバー１２側におけるリング部２４０の中心を通る垂直線上には、ケース下面１１Ｅと略平行な片持ち梁状に形成され、連結紐３を着脱可能な状態で掛止するための掛止片２５が設けられている。尚、カバー１２の重心Ｐは、前後間の略中央位置にあり、掛止片２５は、重心Ｐより外側前方に基端部２５Ｂを有し、重心Ｐ側に向かって延設されている。
【００３２】
図３および図４に示すように、フィルタ挿入口２３の上部には、フィルタ挿入口２３の後縁上部に所定の間隙２３０を存して、浴室４とケース内部１０とを上下に区画する挿入口上壁２３１が形成されている。フィルタ２０は、上記間隙２３０から吸込口２１の上部に差し込まれ、フィルタ２０が吸込口２１の上部に装着された状態において、挿入口上壁２３１の下面は、フィルタ２０の持ち手部２００によって略全体が下方から覆われる。
【００３３】
挿入口上壁２３１の左右間の略中央位置には、掛止片２５をカバー１２の下面側（浴室４側）に臨ませる矩形状の掛止用窓孔２６が開設されている。掛止用窓孔２６の前縁上部、即ち、カバー上面１２Ｅ側には、上方へ向かって支持壁２３２が立設されており、掛止片２５は、支持壁２３２の上端から掛止用窓孔２６の後縁側へ向かって略水平に延出形成されている。
【００３４】
掛止片２５は、先端部２５Ａの両側縁に、外側方へ突出する引掛け部２５１を備えた下方視略Ｔ字状の板体であり、連結紐３は、上記引掛け部２５１と支持壁２３２との間に画成された切欠部２５０に嵌入されることで、掛止片２５に抜け止め状態で保持される。掛止片２５の基端部２５Ｂの下面側には、基端部２５Ｂの両側縁相互間に亘って凹溝２５２が形成されており、連結紐３は、切欠部２５０に嵌入された状態において、凹溝２５２に沿って掛止される。
【００３５】
掛止片２５と掛止用窓孔２６との間には、支持壁２３２の上下間の中央より基端側の位置から掛止用窓孔２６の後縁側へ向かって略平行に延出形成され、連結紐３が掛止用窓孔２６より下方に脱出するのを阻止する片持ち梁状の押さえ片２７が設けられている。押さえ片２７の先端部２７Ａには、連結紐３が押さえ片２７の先端部２７Ａよりさらに後方へ移動するのを抑制する上方へ凸の突起２７１が形成されている。
【００３６】
図４に示すように、掛止片２５の先端面２５３は、中央から左右外側前方へ向かって斜めに広がる二面で構成された凸面状に形成されている。また、引掛け部２５１の側端面２５４は、掛止片２５の先端面２５３の外側端部からさらに外側前方へ向かって斜めに広がり、引掛け部２５１の外側端部に至る下方視略三角形状に形成されている。
【００３７】
掛止片２５の先端部２５Ａの下面で、且つ、押さえ片２７の先端部２７Ａより後方位置には、下向きに突出する爪片２８が設けられており、連結紐３は、爪片２８の先端部２８Ａと押さえ片２７の先端部２７Ａとの間隙２８０を通して掛止片２５に掛止される。爪片２８の基端部２８Ｂの前面部２８１は、掛止片２５の基端部２５Ｂ側から爪片２８の先端部２８Ａ側に向かって凹曲面状に傾斜している。
【００３８】
カバー１２を本体ケース１１に取り付ける手順としては、まず、予めカバー１２からフィルタ２０を取り外し、掛止用窓孔２６を露出させる。次に、ケース開口部１１０から下方に露出した連結紐３を、掛止部２５先端の爪片２８に引掛けて仮止め保持させ、カバー１２を連結紐３に吊り下げ支持させた状態とする。そして、爪片２８に係合保持された連結紐３を掛止部２５の基端部２５Ｂ側に設けられた切欠部２５０に掛止させる。これにより、カバー１２が本体ケース１１に対して落下阻止状態で連結される。そして、カバー固定ねじ１７によってカバー１２を本体ケース１１にねじ留め固定した後、フィルタ２０をカバー１２に装着することで設置が完了する。
【００３９】
一方、カバー１２を本体ケース１１から取り外す手順としては、まず、カバー１２からフィルタ２０を取り外し、掛止用窓孔２６を露出させる。次に、カバー固定ねじ１７をカバー１２から外し、カバー１２を連結紐３に吊り下げた状態とする。そして、連結紐３を切欠部２５０から外し、さらに掛止部２５先端の爪片２８から外せば、カバー１２が本体ケース１１から分離される。
【００４０】
このように、上記浴室暖房乾燥機１によれば、掛止片２５が掛止用窓孔２６を通じてカバー１２の下面側に臨むように構成されているから、掛止片２５に対する連結紐３の着脱を、カバー１２の下面側から掛止用窓孔２６を通じて行うことができる。従って、カバー１２の取り付けや取り外し作業に手間がかからないし、作業中に作業者が意図せずケース内部１０のファン１５や熱交換器１６などの内部構成部品に触れてしまう虞も少ない。よって、施工時やメンテナンス時の作業性および安全性が高い。
【００４１】
しかも、このものでは、掛止片２５の先端部２５Ａに、下向きに突出する爪片２８が設けられており、連結紐３を掛止片２５に掛止させる際、連結紐３が掛止片２５から不用意に外れ難いから、カバー１２の取り付け作業に一層手間がかからない。よって、施工時やメンテナンス時の作業性が一層高い。
【００４２】
また、連結紐３を掛止片２５に掛止させるにあたって、先に爪片２８に連結紐３を引掛けて仮止め保持させ、カバー１２を連結紐３に吊り下げ支持させた状態にしてから、改めて連結紐３を掛止片２５の基端部２５Ｂ側の適切な掛止位置（切欠部２５０）に掛止させることができるから、連結紐３を掛止片２５に掛止し終えるまでの間、カバー１２の全重量を作業者が支え続ける必要がない。よって、カバー１２の取り付け作業時の作業者への負担も少ない。
【００４３】
さらに、このものでは、爪片２８の基端部２８Ｂの前面部２８１が、掛止片２５の基端部２５Ｂ側から爪片２８の先端部２８Ａ側に向かって傾斜面に形成されており、連結紐３を上記傾斜面に沿って爪片２８の先端部２８Ａ側へ円滑に移動させ、取り外すことができるから、カバー１２の取り外し作業に一層手間がかからない。よって、施工時やメンテナンス時の作業性がより一層高い。
【００４４】
また、このものでは、掛止片２５の先端面２５３が、後方へ突出する凸面状に形成されており、連結紐３を上記先端面２５３に沿って掛止片２５の基端部２５Ｂ側へ円滑に係合させることができるから、カバー１２の取り付け作業に一層手間がかからない。よって、施工時やメンテナンス時の作業性がより一層高い。
【００４５】
さらに、このものでは、掛止用窓孔２６の前縁部、即ち、掛止片２５と掛止用窓孔２６との間に押さえ片２７が設けられており、カバー１２を連結紐３に吊り下げた状態から上方の固定位置まで持ち上げたときに、たとえ連結紐３が凹溝２５２から下方に離反しても、押さえ片２７の上面に当接するから、連結紐３が掛止片２５から不用意に外れ難く、カバー１２の取り付け作業に一層手間がかからない。また、連結紐３が掛止用窓孔２６から脱出するのも阻止されるから、連結紐３がフィルタ２０の装着の妨げになることもない。よって、施工時やメンテナンス時の作業性がより一層高い。
【００４６】
しかも、このものでは、押さえ片２７の先端部２７Ａに突起２７１が設けられており、たとえ連結紐３が凹溝２５２から下方に離反し、さらに押さえ片２７の上面に沿って先端部２７Ａ側へ移動しても、突起２７１に当接するから、連結紐３が掛止片２５からより外れ難く、カバー１２の取り付け作業に一層手間がかからない。また、連結紐３が爪片２８の先端部２８Ａを越えて掛止用窓孔２６から下方へ脱出するのも阻止されるから、連結紐３がフィルタ２０の装着の妨げになることもない。よって、施工時やメンテナンス時の作業性がより一層高い。
【００４７】
また、このものでは、掛止片２５がカバー１２の重心Ｐより外側前方から重心Ｐ側に向かって略水平に延設されているから、カバー固定ねじ１７を外してカバー１２を連結紐３に吊り下げた状態にしたとき、カバー１２は、重心Ｐ側である掛止片２５の先端部２５Ａ側を下にして傾く。そのため、連結紐３が掛止片２５の先端部２５Ａ側に移動し難く、掛止片２５から不用意に外れ難い。よって、カバー１２の取り付けや取り外し作業に一層手間がかからず、施工時やメンテナンス時の作業性がより一層高い。
【００４８】
掛止片２５がクランプ２４のリング部２４０、即ち、本体ケース１１と連結紐３との連結部よりも前方に設けられていると、カバー１２を連結紐３に吊り下げた状態から上方の固定位置まで持ち上げたときに、連結紐３が掛止片２５の先端部２５Ａ側に移動し、掛止片２５から外れる虞がある。しかしながら、このものでは、上記リング部２４０の垂直下方に掛止片２５が設けられているから、カバー１２を連結紐３に吊り下げた状態から上方の固定位置まで持ち上げても、連結紐３は、掛止片２５の先端部２５Ａ側に移動し難く、掛止片２５から不用意に外れ難い。よって、カバー１２の取り付けや取り外し作業に一層手間がかからず、施工時やメンテナンス時の作業性がより一層高い。
【００４９】
しかも、このものでは、連結紐３が高い伸縮性を有していると共に、カバー１２に対する連結紐３の着脱作業を、カバー上面１２Ｅとケース下面１１Ｅとの隙間から行う必要もないから、ケース開口部１１０からの連結紐３の露出長さを、カバー１２との掛止作業を損なわない範囲で短く設定することができる。従って、カバー１２を本体ケース１１に取り付ける際に、連結紐３が本体ケース１１内で撓んで他の構成部品に引っ掛かったり隙間に挟まったりする虞が少ない。よって、施工時やメンテナンス時の作業性がより一層高い。
【００５０】
また、このものでは、掛止用窓孔２６がフィルタ挿入口２３の上方に設けられ、フィルタ２０の持ち手部２００によって下方から覆われるように構成されており、フィルタ２０をカバー１２に装着すれば、掛止用窓孔２６や連結紐３がフィルタ２０の持ち手部２００によって隠蔽され、カバー１２の下方に露出しないから、機器全体の美観を損なうこともない。
【００５１】
尚、上記実施の形態では、掛止片２５の先端面２５３が、中央から左右外側前方へ向かって斜めに広がる二面で構成された凸面状に形成される一方、引掛け部２５１の側端面２５４が、掛止片２５の先端面２５３の外側端部から外側前方へ向かって平面状に傾斜したものを説明したが、図５に示すように、引掛け部２５１の側端面２５４が、掛止片２５の先端面２５３の外側端部から外側前方へ向かって凹曲面状に傾斜したものとしてもよいし、図６に示すように、掛止片２５の先端面２５３の中央から引掛け部２５の側端面２５４に亘って後方へ凸の円弧曲面状に形成されたものとしてもよい。これらのものでは、連結紐３を掛止片２５の先端部２５Ａ側から基端部２５Ｂ側へ円滑に係合させることができるから、上記実施形態と同様、施工時やメンテナンス時の作業性がより一層向上する。
【００５２】
また、上記実施の形態では、掛止片２５がリング部２４０の中心を通る垂直線上に設けられたものを説明したが、図７に示すように、リング部２４０の中心を通る垂直線よりも後方、即ち、リング部２４０の垂直下方位置よりも掛止片２５の先端部２５Ａ側の位置に設けられたものとしてもよい。このものでは、カバー１２を連結紐３に吊り下げた状態から上方の固定位置まで持ち上げた際、連結紐３が掛止片２５の先端部２５Ａ側に移動し難いから、上記実施の形態と同様、施工時やメンテナンス時の作業性がより一層向上する。
【００５３】
また、上記実施の形態では、本体ケース１１側における送風路１３の後壁１３Ｂに連結紐３が係合保持されたものを説明したが、連結紐３にカバー１２を吊り下げ支持させたときに破損や変形等の不具合が生じない箇所であれば、本体ケース１１の周壁１１１や上部構成壁、ファンケース１５１、ケース内部１０の他の構成部材に連結紐３が係合保持されたものとしてもよい。
【００５４】
上記実施の形態では、排気筒１４および風路切替ダンパ１８を備えた浴室暖房乾燥機について説明したが、本発明は、風路切替ダンパ１８を備えていない浴室暖房乾燥機にも適用できるし、排気筒１４および風路切替ダンパ１８を備えていない、暖房機能のみ有する浴室暖房機にも適用できる。
【００５５】
また、上記実施の形態では、送風路１３内の略中央位置に、加熱手段として熱交換器１６が組み込まれたものを説明したが、本発明は、ケース内部１０におけるケース開口部１１０とファン１５との間、即ち、ファン１５の上流位置に熱交換器１６が組み込まれたものにも適用できるし、熱交換器１６に代えて、電気ヒータが組み込まれた浴室暖房乾燥機にも適用できる。
【００５６】
本発明は、浴室暖房乾燥機に限らず、脱衣室やトイレ、サンルーム、倉庫などの室内天井に設置して使用される暖房乾燥機、暖房機、乾燥機、換気装置、送風機等の機器にも適用できる。
【符号の説明】
【００５７】
１      浴室暖房乾燥機（天井設置型機器）
１１    本体ケース
１１０  ケース開口部
１１Ｅ  本体ケースの下面
１２    カバー
１２Ｅ  カバーの下面
１５    ファン（給気手段）
１６    熱交換器（加熱手段）
２５    掛止片
２５０  切欠部
２６    掛止用窓孔
３      連結紐
４      浴室（室内）
４０    天井裏
【図１】
0006429739.tif 000002
【図２】
0006429739.tif 000003
【図３】
0006429739.tif 000004
【図４】
0006429739.tif 000005
【図５】
0006429739.tif 000006
【図６】
0006429739.tif 000007
【図７】
0006429739.tif 000008